Podtech/llm-jp-corpus-v4-ja_patent huggingface dataset:
(57)【要約】      （修正有）【課題】人体に対する加温効果と、微量放射線のホルミシス効果を同時に与え、寝具と同様の柔軟な仰臥部を確保できる寝具を提供する。【解決手段】寝具の１の上に温熱用加温部２を設け、温熱用加温部の上に微量放射線放射繊維３を設ける。更に電源接続部４から温度調節部５とタイマー６を設置する。【選択図】図３
0003106053.tif 000002
【実用新案登録請求の範囲】
【請求項１】
寝具の人体側に、加温部を平面状に設け、加温部の上部に微量放射線放射繊維を平面状に用いた微量放射線繊維温熱寝具。
【考案の詳細な説明】
【考案の詳細な説明】
【産業上の利用分野】
【０００１】この考案は、人体に対する温熱効果と、ホルミシス効果を同時に得ることを目的とし、加温手段と微量放射線手段とを組み合わせたものである。
【背景技術】
【０００２】加温についてはサウナや温泉による人体加温方法と、マットや毛布、電気カーペットによる仰臥する加温方法が在った。また微量放射線については、ラジウム温泉やラドン温泉の外に、ラジウム温泉の湯の花やラジウム温泉の土又はセラミックスをマット状にしたり、繊維にラジウムやマイナスイオン放射物をプリントしたり含浸・付着してシーツ状で用いるものが在った。
【考案が解決しようとする課題】
【０００３】人体に対する加温手段と、微量放射線放射手段は、それぞれ独立して行われていた。又人体を横たえてこの二つの手段を合わせて実行する為には、睡眠時と同様、柔らかい寝具形状の必要があった。
【課題を解決する為の手段】
【０００４】１  加温手段と微量放射線手段とを人体に用いる為、長時間使用に耐える柔軟な形状で構成する。
２  微量放射線放射物は、これを放射線含有繊維で用いる。
３  安全性確保手段として温熱手段にタイマーを設ける。
４  温熱手段に、温度調節機能を持たせる。
５  家庭でも使用できるよう、分解可能で運搬可能重量とする。
６  微量放射線は、これを特にラジウムだけに限定しない。
【考案実施の形態】
【０００５】加温手段には、フィルム形状ヒーターや、ゴムマット状ヒーターなどの出現で柔軟性の確保が可能となった。また温水循環方式や空気加温方式でもよい。、また放射性物質の形状は柔軟な外形を維持する為、微量放射線含有繊維製品とする。
【実施例】
【０００６】（イ）寝具の上に平板な形状の加温用加熱部を載せる。
（ロ）加温用加熱部の上に平板な形状に微量放射線放射繊維を載せる。
（ハ）加温用加熱部に電源を入れ、適温に達した後、人はこの放射性物質の上に仰臥し、微量放射線繊維加温寝具を利用する。
【考案の効果】
【０００７】加温による血管拡張と血流回復により、代謝機能が向上し、抹消の毛細血管から下肢静脈、それに加えて頭部内血流まで活性化する。又血管の弾性が高まり、水分補給をすれば血液の粘性も低下する。又運動に因らざる心拍数の高まりは老齢者や病人の循環器全体の活性化にも繋がる。
微量放射線によるホルミシス効果は免疫系強化を行い、加温による代謝と免役向上と併せての効果を生む。またホルミシス効果の提唱者は、特に微量放射線の効果を病気全般に対する抑制効果としている。
【図面の簡単な説明】
【図１】  平面図
【図２】  側面図
【図３】  斜視図
【符号の説明】
（１）    寝具。
（２）    加熱部。
（３）    微量放射線放射物。
（４）    電源接続部。
（５）    温度調節部。
（６）    タイマー。
【図１】
0003106053.tif 000003
【図２】
0003106053.tif 000004
【図３】
0003106053.tif 000005
(57)【要約】【課題】  葬儀の際の供物用の台座に関して、場所をとらず設置や取りかたづけが簡単な台座を提供する。【解決手段】  全体に木製でタオル造花用の花挿しと盛篭用の凹部を設け、盛篭をバスケット篭とし、このバスケットを上から立て重ねることによって奥行を浅くし、場所をとることなく、花はタオル花を用いることによって廃棄物を極力少なくした。【選択図】  図１
0003106051.tif 000002
【実用新案登録請求の範囲】
【請求項１】
基台（１）上部に飾り花受台（２）を設け、その下部に供物篭（４）を納める凹部Ａを設け、該凹部Ａの両側にタオル花挿し込み用の穴（６）を設けた受板（５）を配してなり、基台全体の奥行を薄形の断面台型に形成したことを特徴とした木製供物用台座。
【請求項２】
供物用篭（４）を納める凹部Ａの両側に設ける請求項１に記載の受板（５）を造花飾り用の受板（５−１）に交換可能とした木製供物用台座。
【考案の詳細な説明】
【技術分野】
【０００１】
本考案は、主にタオル製の造花による木製の供物用台座に関する。
【背景技術】
【０００２】
葬儀の際に用いる供物を飾るには生花を用いているが、生花は一回の使用で花が枯れるため無駄が多く、このため生花に換えて造花を用いる傾向にある。しかし、この造花も産廃物となるため、タオルによる造花が利用されている。これは葬儀の後、基台からタオルを外して使用できるためである。
【特許文献１】実公平０４−４９１３３号公報
【考案の開示】
【考案が解決しようとする課題】
【０００３】
しかし、この造花を減らしその替わりにタオル花を用いる供物台も、奥行があって狭い部屋の中では場所をとり、配置や運搬にも手間どるという困難があった。
【課題を解決するための手段】
【０００４】
考案者はこの供物台座について種々試作研究を繰返した結果本考案に到達したものであって、本考案は、供物を飾る台座に凹部を設け、飾り花をタオル花を用いることによって台座の奥行を極力薄くし、凹部Ａには、供物篭を平形のバスケットとして上方から、名札と一緒に順に納めることによって葬儀場のセッティングも、又後かたづけも容易となる供
物用の台座を提供できる。
【考案の効果】
【０００５】
前述のように、本考案の供物用台座は主としてタオル花を使用することによってゴミを減らし、台座の奥行を小さくすることによって場所を取ることもなく、セッティングも後かたづけも容易となるというゴミ問題や、作業上に多大の効果を奏する。
【考案を実施するための最良の形態】
【０００６】
添付図面により、本考案の実施の形態を説明すると、図１は台座の正面図であって、全体に木製とし、図３に示しているように奥行を小さく台型に形成し、中央に凹部Ａを設け、この中に供物篭（４）を順に配置し、この凹部Ａの両側には、タオル花受板（５）を設ける。
【０００７】
この受板（５）にはタオル花挿入用の穴（６）を設けるものである。またこの花受板（５）は造花受板と変えることもでき、この場合は図２に示すように造花挿込み用の穴（６−１）を使用することもできる。そして台座（１）の上段には造花飾り台（２）や名札（３）を設けて豪華に飾ることができる。
【実施例】
【０００８】
図４は飾り終えた供物の一例であって、図示されるように、台座（１）の中央の凹部にはバスケット型の供物篭（４）を数段に配し、両側にタオル花を飾り、最上段には造花や名札（３）を飾って豪華に飾るものである。
【０００９】
この供物飾りは豪華に飾れるが、台座（１）が薄形の台座であるため場所をとることもなく、しかも取り外しが容易のため取扱いが容易である。図中の台上の符号（７）は名札（３）や造花を差し込む穴を示している。
【産業上の利用可能性】
【００１０】
本考案の供物用台座は、全体として木製で薄型であり、取扱いも容易であって、しかもタオル花を用いるものであるから、葬儀場が狭い場所であっても飾ることができるため利用する可能性はきわめて大である。
【図面の簡単な説明】
【００１１】
【図１】タオル花用台座の正面図
【図２】造花用台座の正面図
【図３】台座の断面図
【図４】一例としての供物の略図
【符号の説明】
【００１２】
１  台座
２  飾り花台
３  名札
４  供物篭受
５  花飾板
６  タオル花挿し穴
６−１  造花挿し穴
７  名札・造花挿し穴
Ａ  名札・供物篭受凹部
【図１】
0003106051.tif 000003
【図２】
0003106051.tif 000004
【図３】
0003106051.tif 000005
【図４】
0003106051.tif 000006
(57)【要約】【課題】            従来の背のばしマットは固定式であるか、ないしは円形をつくるために金具など金属性のものを使用しているために、背中に当たったときに痛かったりすることがある。【解決手段】        本考案では布と綿でできたマットをひもを巻きつけることにより安全に円形を保つことができ、背中に容易に当てがうことが可能で快適に背のばしを行うことができ、あわせて指圧の効果が得られる。【選択図】          図１
0003106060.tif 000002
【実用新案登録請求の範囲】
【請求項１】
ひもをマットに巻き付ける事により指圧効果が得られる弾力を保持した円形マット
【考案の詳細な説明】
【技術分野】
【０００１】
ひもをマットに巻き付けることにより指圧効果が得られるもの。
【背景技術】
【０００２】
従来のマットには付属の物体が付いていてはずみであたると痛い。
【０００３】
【特許文献１】平３−１６９５９
【考案の開示】
【考案が解決しようとする課題】
【０００４】
従来の物には背当てに付属する物体が付いていてはずみであたると痛い。
【課題を解決するための手段】
【０００５】
背中のばしマットには物体は何も付いていない。
【考案の効果】
【０００６】
ひもを巻き付ける事により指圧効果が得られる。
【考案を実施するための最良の形態】
【０００７】
ひもをマットに巻き付ける事により指圧効果が得られる弾力を保持した円形マット
【図面の簡単な説明】
【０００８】
【図１】マットにひもを巻き付けた図である。
【符号の説明】
【０００９】
１  ひも
【図１】
0003106060.tif 000003
【手続補正書】
【提出日】平成16年8月19日(2004.8.19)
【手続補正１】
【補正対象書類名】実用新案登録請求の範囲
【補正対象項目名】全文
【補正方法】変更
【補正の内容】
【実用新案登録請求の範囲】
【請求項１】
等間隔の結び目による突起を付けたひもを巻き付け円形に成形したキルティング縫いの凝縮綿入マット
【手続補正２】
【補正対象書類名】明細書
【補正対象項目名】全文
【補正方法】変更
【補正の内容】
【考案の詳細な説明】
【技術分野】
【０００１】
ひもをマットに巻き付けることにより指圧効果が得られるもの。
【背景技術】
【０００２】
従来のマットには付属の物体が付いていてはずみであたると痛い。
【０００３】
【特許文献１】平３−１６９５９
【考案の開示】
【考案が解決しようとする課題】
【０００４】
従来の物には背当てに付属する物体が付いていてはずみであたると痛い。
【課題を解決するための手段】
【０００５】
背中のばしマットには物体は何も付いていない。
【考案の効果】
【０００６】
等間隔の結び目による突起を付けたひもを巻き付ける事により指圧効果が得られる。
【考案を実施するための最良の形態】
【０００７】
等間隔の結び目による突起を付けたひもをマットに巻き付ける事により指圧効果が得られる弾力を保持した円形マット
【図面の簡単な説明】
【０００８】
【図１】マットにひもを巻き付けた図である。
【符号の説明】
【０００９】
１  ひも
(57)【要約】      （修正有）【課題】衝撃吸収性の良いすね当を提供する。【解決手段】くつ下１のすねの部分に空気流動式衝撃吸収体２を取り付け、取り外し自由にした。【選択図】図１
0003106052.tif 000002
【実用新案登録請求の範囲】
【請求項１】
くつ下のすねの部分に空気流動式衝撃吸収体を取り付け、取り外し自由にしたすね当衝撃吸収体。
【考案の詳細な説明】
【技術分野】
【０００１】  くつ下のすねの部分に取り外し自由な、空気流動式の衝撃吸収体を設ける。この特徴は、衝撃のあった時、空気を流出することにより衝撃を吸収さらに、オリフィスの穴により残された空気が、クッションの役目をはたす。
【背景技術】
【０００２】  現在のすね当は、くつ下外にたんなるスポンジ性の吸収体を取り付けたちのだけである。
【考案の開示】
【考案が解決しようとする課題】
【０００３】  サッカーの例をとり上げると、ボールをけった折、相手とのトラブルで、すねに打撃をうけ骨折や打撲が茶飯時で、けが人が出る。一例ではあるが、瞬時の衝撃は、相方とも、１５０Ｋ〜２００Ｋの衝撃度が計測されている。
【課題を解決するための手段】
【０００４】  そこで、本考案は従来のスポンジ性の吸収体よりはるかに効果のある、空気の流動を利用し、瞬間的衝撃を吸収しようとするものである。
【考案の効果】
【０００５】  従来のスポンジ性のすね当てと、空気流通式の比較実験を行ったところ、すね当部の条件を同じにした場合、約１５０Ｋの衝撃を与えた場合、スポンジ性は２０％の吸収率空気流通式は７０％以上の吸収率のデーターが出た。このことにより、吸収率が高いのと同じに残留空気がクッションの役目をする工夫をした。
【考案を実施するための最良の形態】
【０００６】  すねにフィットするようにくつ下にじかに取り付け、ステック状の空洞を設け取り外し自由にした。
【実施例】
【０００７】  図１に示すように２の部分が、くつ下と一体化し、袋状になっていて、その中に数本の吸収体を入れる。くつ下は言うまでもなく、収縮自在であるので、吸収体がはずれないような工夫をする。図２で示す、一例３、４、５は吸収体そのもので中は空洞になっていて、６の吸気流通口を数個あけることにより、衝撃度合いの穴を調整することで大人と子供の吸収体が出来る。１のくつ下そのものにデザイン化して品度の良いものに仕上げることができる。図２の７は、内部に吸収体が入っていることを示すためのめくった状態を示す。９は収納されている吸収体である。
【産業上の利用可能性】
【０００８】  サッカーに例えれば、世界のサッカー人口は、天文学的数字になるであろう。又、サッカー少年にはすね保護のため義務づけられている。この考案により安全なスポーツが楽しめると思う。
【図面の簡単な説明】
【０００９】
【図１】くつ下の正面図である。
【図２】吸収体を収納した状態の正面図である。
【図３】吸収体の正面図である。
【符号の説明】
【００１０】１    くつ下
２    吸収体
３    吸収体
４    吸収体
５    吸収体
６    空気流通口
７    内部を開口した状態
９    吸収体が袋状に収納されている状態
【図１】
0003106052.tif 000003
【図２】
0003106052.tif 000004
【図３】
0003106052.tif 000005
(57)【要約】【課題】  フローリング床材上等で使用されても、当該床材の表面に傷を付けるおそれの少ない揺動木馬を提供することを目的とする。【解決手段】  弧状に湾曲したソリ２上に遊戯者が跨る木馬本体３が載設された揺動木馬１において、前記ソリ２底面に硬質ゴム製の保護部材１０を長手方向に沿って装着したことによって構成される。【選択図】          図１
0003106025.tif 000002
【実用新案登録請求の範囲】
【請求項１】
弧状に湾曲したソリ上に遊戯者が跨る木馬本体が載設された揺動木馬において、前記ソリ底面に硬質ゴム製の保護部材を長手方向に沿って装着したことを特徴とする揺動木馬。
【考案の詳細な説明】
【技術分野】
【０００１】
本考案は、子供の乗物玩具として用いられる揺動木馬に関する。
【背景技術】
【０００２】
周知のように、従来のこの種揺動木馬は、弧状に湾曲したソリ上に遊戯者（子供）が跨る木馬本体が載設された構造となっている。
【特許文献１】実開平５−１８９号公報
【考案の開示】
【考案が解決しようとする課題】
【０００３】
しかしながら、従来の揺動木馬では、ソリ、木馬本体ともに、硬質の木材を使用しているため、例えばフローリング床材上で使用された場合、当該床材の表面を傷付けるおそれが多分にある。
【０００４】
本考案は、前記した従来技術が有する問題点を解消する揺動木馬を提供することを目的とする。
【考案の効果】
【０００５】
本考案は、前記のとおり構成されるものであるから、例えフローリング床上で遊戯者が木馬本体の胴部に乗って体を激しく揺動させて遊んでも、フローリング床材に接するソリ底面に硬質ゴム製の保護部材が装着されているため、当該フローリング床材の表面に傷を付けるおそれがきわめて少ないものである。
【考案を実施するための最良の形態】
【０００６】
以下、本考案に係る揺動木馬を実施するための最良の形態について図面を参照して詳細に説明する。
【０００７】
図１は、同上の側面図であり、図２は、図１のＡ−Ａ矢視断面図であり、図３は、同上の底面図である。
【０００８】
図１及至図３において、１は、弧状に湾曲したソリ２上に遊戯者（子供）が跨って乗る木馬本体３が載設されて成る木製の揺動木馬である。
【０００９】
前記ソリ２は、左右に所定の間隔を置いて対設されると共に、前記木馬本体３は、胴部４、持手５、前脚６、後脚７、頭部８および脚掛け９など周知な機構を備えている。
【００１０】
前記２個一対の木製のソリ２の底面には、硬質ゴム製の保護部材１０がそれぞれ装着されている。この保護部材１０は長尺な紐状ゴム部材にて形成され、ソリ２の底面中央に、その両端近傍まで接着材等を使って装着される。
【００１１】
以上のように構成される揺動木馬１は、遊戯者（子供）が木馬本体３の胴部４に跨って乗り、持手５と脚掛け９に両手と両脚を掛けた形態で前後に揺動して遊ぶものである。
【００１２】
このさい、ソリ２の底面に硬質ゴム製の保護部材１０がそれぞれ装着されているため、例えフローリング床材上で使用しても、当該床材の表面に傷を付けるおそれはきわめて少ないものである。
【図面の簡単な説明】
【００１３】
【図１】本考案の側面図である。
【図２】図１のＡ−Ａ矢視断面図である。
【図３】本考案の底面図である。
【符号の説明】
【００１４】
１    揺動木馬
２    ソリ
３    木馬本体
１０  保護部材
【図１】
0003106025.tif 000003
【図２】
0003106025.tif 000004
【図３】
0003106025.tif 000005
(57)【要約】【目的】従来、散歩時のペット犬の糞回収には、色々な方法が考えられているものの、その多くは紙素材を使ったものが多く、長期的に見るとランニングコストが掛かっている。本考案はこの点に鑑み、プラスティックの弾性（復元力）を利用して確実且つ衛生的に回収すると共に、ランニングコストを零にする事を目的とする。【構成】収納筒１に、扉開閉ワイヤー３を中空に通した中空柄２を取り付け、その柄の他端にこのワイヤーを固定した開閉ワイヤーリング４を付ける。このワイヤーリングを引っ張ることで収納筒の収納扉５が開き、糞を収納・回収するものである。【選択図】図１
0003106031.tif 000002
【実用新案登録請求の範囲】
【請求項１】
プラスティックの弾性（復元力）を利用した糞収納筒１に、この収納筒の収納扉５を操作する開閉ワイヤー３が通る中空柄２を付けた、携帯用糞回収器。
【考案の詳細な説明】
【考案の詳細な説明】
【産業上の利用分野】
【０００１】この考案は、ペット犬の糞を回収する用具に関するもので、散歩時に携行し、糞に手を近づける事なく回収出来るペット犬・糞回収器に関するものである。
【背景技術】
【０００２】従来品は紙を素材にしたものが多く、長期的にみるとランニングコストがかさむ事に難点があった。
【考案が解決しようとする課題】
【０００３】この考案は、如何にコストが掛からず、如何に衛生的に糞を回収するかを目的としたものである
【課題を解決するための手段】
【０００４】図１について説明すれば、
（イ）プラスティックの弾性（復元力）を利用した収納筒１に、中空に扉開閉ワイヤー３を通した中空柄２を付ける。
（ロ）この中空柄２の他端に、開閉ワイヤーリング４を付ける。
【作用】
【０００５】図１に於いて、開閉ワイヤーリング４を、中指で上部に引きあげ収納筒１の収納扉５を開き、糞の上に被せる。
この時、この開閉ワイヤーリングを放せば、プラスティックの復元力で、開いた収納扉は自然に閉じ、糞に手を近づけることなく衛生的に回収出来る。
【考案の効果】
【０００６】図２のように、身近にある不要になったビニール袋を、予めセットして置けば、収納後、ビニール袋の口を縛るだけで、手を汚さず衛生的に処理出来る。又、ランニングコストは一切掛からない。
【図面の簡単な説明】
【図１】本考案の斜視図である。
【図２】本考案の側面図である
【符号の説明】
１は収納筒    ２は中空柄    ３は扉開閉ワイヤー
４は開閉ワイヤーリング      ５は収納扉
６はビニール袋
【図１】
0003106031.tif 000003
【図２】
0003106031.tif 000004
(57)【要約】【課題】  本考案は、小物干し用ハンガーが不足すれば、新しく小物干し用ハンガーを買いそろえなければならなかったり、買いそろえたとしても、干したり収納する場合、場所を取って不便であった。これらを一度に解決しようとする物である。【解決手段】  本考案は板状の（１）に、等分に分割された（２）穴を数個開け、洗濯バサミ（３）をプラスチック・ポリ・金属等のチェーン、あるいはＳ字かん等（４）で固定する。この洗濯バサミを、家庭にあるハンガー・クリーニング用ハンガー・物干しパイプに取付け利用する事によって、不足分を買い足したりすることなく、洗濯物を干したり、収納したりする作業が簡単で便利になり、収納場所もとらない。【選択図】  図１
0003106034.tif 000002
【実用新案登録請求の範囲】
【請求項１】
洗濯バサミを複数個を適度な間隔で吊り下げた、板状の物の上部に、大きめの洗濯バサミを取付けて、ハンガー本体・クリーニング用ハンガー・洗濯物干パイプに取付け可能な便利洗濯バサミ。
【考案の詳細な説明】
【技術分野】
【０００１】本考案は、普通の家庭にある、ハンガー本体・クリーニング用ハンガー・洗濯物干パイプに取付け可能な、洗濯バサミに関する物である。
【背景技術】
【０００２】従来の小物干し用のハンガーは、不足した場合に新しいハンガーを買う必要がある。
【考案の開示】
【考案が解決しようとする課題】
【０００３】これらの種類の小物干し用ハンガーが不足しても、家庭にあるハンガー・物干しパイプに、便利洗濯バサミを取付けて利用する事で、目的を達成する。
【課題を解決するための手段】
【０００４】板状の物に洗濯バサミを複数個付けて、その上部に大きめの洗濯バサミを取付けた洗濯バサミを、ハンガー・物干しパイプに取付ける事で、解決させる。
【考案の効果】
【０００５】上述のように、本考案の洗濯バサミを取付ける事によって、新しく不足分の小物ハンガーを買いに行くこともなく、家庭にあるハンガー・物干しパイプを利用する事で、、数個の小物用洗濯ハンガーを用意する必要がなく、いつでも便利に、靴下・下着等を干す事が出来、効率よく作業が出来る。
【考案を実施するための最良の形態】
【０００６】板状の洗濯バサミのベースとして、耐久性の優れた、プラスチック・ポリ・金属等の素材を利用して、チェーン・あるいはＳ字かんの形状の物で、洗濯バサミを前後左右に自由に動くよう固定する。また上部にも、大きめの洗濯バサミを取付けるか、または大きめの洗濯バサミを板状のベースと一体化させる。
【実施例】
【０００７】以下、添付図面にしたがって実施例を説明する。耐久性の優れたプラスチック・ポリ・金属等の素材にて、本体（１）に、等分に分割された、（２）穴を数個開け、洗濯バサミ（３）を耐久性のプラスチック・ポリ・金属等のチェーン、あるいはＳ字かん等で（４）固定する。（５）は大きめの洗濯バサミを、小さい洗濯バサミと同様に取付けるかまたは、板状のベースと一体化した洗濯バサミを作る。
【産業上の利用可能性】
【０００８】板状のベースの上下に、洗濯バサミを取付けた洗濯バサミで洗濯ハンガー・クリーニング用ハンガー・物干しパイプに取付けて使用する。
【図面の簡単な説明】
【０００９】
【図１】    便利洗濯バサミの平面図
【図２】    洗濯ハンガー・クリーニング用ハンガーに便利洗濯バサミを取付けた図
【符号の説明】
【００１０】  １    板状のベース
２    取付け穴
３    洗濯バサミ
４    取付けようチェーン及びＳ字かん
５    大きな洗濯バサミ
６    ハンガー及びクリーニング用ハンガー
【図１】
0003106034.tif 000003
【図２】
0003106034.tif 000004
(57)【要約】      （修正有）【課題】洗濯物を干す場合も場所を取らず、同時に干す際のわずらわしさも解消する洗濯バサミ付きスリムハンガーを提供する。【解決手段】ハンガー（１）に、穴（４）を６個〜８個開け、洗濯バサミ（３）が前後左右に自由に動きが可能な状態で、耐久性のプラスチック・ポリ・金属等のチェーンあるいはＳ字かん（２）等で、固定する。【選択図】図１
0003106035.tif 000002
【実用新案登録請求の範囲】
【請求項１】
ハンガー本体に、洗濯バサミ６個〜８個を適度な間隔で吊り下げ、ハンガーと洗濯バサミが一体の洗濯ハンガーとして、狭い場所でも使用出来る事を特徴とする、靴下・下着・小物用洗濯ハンガー。
【考案の詳細な説明】
【技術分野】
【０００１】本考案は、洗濯ハンガーと複数個の洗濯バサミを一体化形成して、狭い場所でも便利に使用出来る事に関する物である。
【背景技術】
【０００２】従来庭やベランダで、靴下・下着・小物類を干す際に使用するハンガー等の物干器具は、円形や楕円形、もしくは大きな四角い折りたたみ式の物が主流で、洗濯物を干す場合も、それを収納する場合も場所を取っていた。
【考案の開示】
【考案が解決しようとする課題】
【０００３】これらの種類のハンガー等の物干器具を、スリムにし洗濯バサミと一体化形成させることによって、洗濯物を干す場合も収納する場合も場所を取らず、同時に干す際のわずらわしさも解消する事で、目的を達成する。
【課題を解決するための手段】
【０００４】ハンガー本体に洗濯バサミを、６個から〜８個を適度な間隔で吊り下げて、ハンガーと洗濯バサミを一体化形成させる事で、解決させる物である。
【考案の効果】
【０００５】上述のように、本考案の洗濯バサミをハンガーと一体化形成にする事によって、干す場所のスペースも小さくなり、収納場所も取らず洗濯作業が簡単で、靴下・下着等の小物類を干すのにとても便利である。一体化形成する事によって、洗濯物自体がおもりとなり、風で飛ばされる事もない。一層、効率よく作業を楽しむ事が出来る。
【考案を実施するための最良の形態】
【０００６】ハンガー本体と洗濯バサミを繋ぐ方法として、耐久性の優れたプラスチック・ポリ・金属等の素材にて、チェーンあるいは、Ｓ字かんの形状で洗濯バサミが、前後左右に自由に動くように固定する。
【実施例】
【０００７】以下、添付図面にしたがって実施例を説明する。耐久性の優れたプラスチック・ポリ・金属等の素材にて、一体化形成された本体（１）に等分に分割された（４）の穴を６個〜８個開け、洗濯バサミ（３）が前後左右に動きが可能なように、（２）耐久性のプチック・ポリ・金属等のチェーンあるいは、Ｓ字かん等で固定する。
【産業上の利用可能性】
【０００８】ハンガー本体の下の部分に穴をあけ、洗濯バサミを前後左右に自由に移動可能な状態で取付けて利用する。
【図面の簡単な説明】
【０００９】
【図１】    ハンガーに洗濯バサミを取付けた正面図
【図２】    形状の違うハンガーに取付けた正面図
【符号の説明】
【００１０】  １    ハンガー本体
２    取付けチェーン及びＳ字かん
３    洗濯バサミ
４    取付け穴
【図１】
0003106035.tif 000003
【図２】
0003106035.tif 000004
(57)【要約】【課題】  本考案は、意識不明の状態であっても自分の血液型を第三者に知らせることを可能とするリストバンドを提供することを課題とする。【解決手段】  リストバンド本体に血液型を刺繍で入れる。【選択図】  図１
0003106033.tif 000002
【実用新案登録請求の範囲】
【請求項１】
リストバンド本体表面に刺繍を施し、第三者に自分の血液型を知らせることを特徴とするリストバンド。
【考案の詳細な説明】
【技術分野】
【０００１】  本考案は、汗取り等に用いるリストバンドの表面に施したデザイン案に関する。
【背景技術】
【０００２】  従来のリストバンドはアルファベットやマーク、ロゴといったファッション性を目的としたデザインのものしかなかった。
【考案の開示】
【考案が解決しようとする課題】
【０００３】  従来のリストバンドでは事故等により意識不明に陥った場合、即時に自分の血液型を第三者に知らせることができない。そこで自分の血液型を第三者に知らせることができるリストバンドを提供することを課題とする。
【課題を解決するための手段】
【０００４】  以上の課題を解決するために第一考案は、リストバンドの表面に血液型の刺繍を設けた事を特徴とするリストバンドである。
【考案の効果】
【０００５】  第一考案によれば、リストバンド表面に施した刺繍により意識不明に陥った場合、容易にかつ瞬時に第三者に自分の血液型を知らせることができる。
【考案を実施するための最良の形態】
【０００６】  この考案の一実施形態を図１に示す。リストバンド本体１は糸により編まれたリストバンドであり、表面には血液型を表す刺繍２と刺繍２が血液型を示していることを表す刺繍３が施している。【０００７】「実施形態の効果」
この実施形態によれば、リストバンド本体の表面には血液型を表す刺繍が入っている。しかしこれだけでは単なるデザインと勘違いされがちなので血液型を表す「ＢＬＯＯＤＴＹＰＥ」を同時に刺繍で入れることにより刺繍によって入れられた血液型はアルファベットによるデザインではなく血液型だと第三者が見ても認識できる。またこれにより輸血の際手首に血液型の入ったリストバンドをしていることで確認もでき輸血ミスも防ぐことができる。
【図面の簡単な説明】
【０００８】
【図１】この考案の実施形態を示す斜視図
【図２】従来のリストバンドの一例の斜視図
【符号の説明】
【０００９】１  リストバンド本体
２  血液型刺繍
３  ＢＬＯＯＤＴＹＰＥ刺繍
４  従来のリストバンドに入っているデザイン例
【図１】
0003106033.tif 000003
【図２】
0003106033.tif 000004
(57)【要約】【課題】  本考案は日常生活上、危険からの回避、衛生的、生活環境等に役立てる事とする妻楊枝のキャップ付具を提供すものである。【解決手段】  本考案は木製及び竹製等からなる材質で、突起物妻楊枝の使用処理時の危険から回避する為に考案された本体であり、使用処理後に本体の折り目（４）から折り突起先（６）を挿入口（５））に挿入させる形式の妻楊枝のキヤップ付具である。【選択図】  図１
0003106032.tif 000002
【実用新案登録請求の範囲】
【請求項１】
本体は木製及び竹製の棒状を有し其の本体の掘り棒（１）部分の内芯部に挿入口（５）より奥の方へと先細りに洞窟溝穴（３）を設け、突起状棒（２）と掘棒（１）とが一体化連結し、本体の掘り棒（１）と突起状棒の分岐点部分に折り目溝（４）を設けた妻楊枝のキヤップ付具。
【考案の詳細な説明】
【考案の詳細な説明】
【技術分野】
【０００１】本考案は妻楊枝の掘り棒（１）内心部に洞空溝穴（３）を設け、妻楊枝使用後に折り目溝より折り、突起先（６）を、挿入口（５）に挿入させる、キヤップ収納後の本体は更に短くなり小さく処分出来る事を特徴とする妻楊枝のキヤップ付具に関するものである。
【背景技術】
【０００２】従来妻楊枝は、使用後の処理等で、突起先が突出状態ですてられていたので、危険性の回避が困難であった。又使用後のエチケットにも今一つ乏しかった。
【考案が解決しようとする課題】
【０００３】妻楊枝の突起部分をキヤップする事で、使用後の美観的エチケット及び、危険性から、最小限回避出来る事で、前述の欠点を解決しようとするものである。
【課題を解決するための手段】
【０００４】本考案は木製及び竹製の棒状に、キヤップの役割になる掘り棒状（１）の内心部に洞空溝（３）を設け、掘り棒（１）と、突起棒状（２）が一体連結し、掘り棒（１）と、突起棒（２）の分岐部分に折り目溝（４）を設けた、妻楊枝のキヤップ付具で有る。
【考案を実施するための最良の形態】
【０００５】本考案は軽視されがちの妻楊枝の日常使用量からくる出来事の中では使用後の処理時等でトラブルもあり、本考案のキヤップ付を使用する事で、最小限トラブル回避が可能である。又突出物状態で、テッシュ等に包みすてられてたゴミ袋等は処理時に危険でもあるが、この場合にも未然に回避が可能で有る。
【実施例】
【０００６】本考案は木製、竹製の７ｃｍ程度の敵宣大の細い棒状を有した妻楊枝のキャップ付具であるが、両端に折り目切込の分岐点を境に掘り棒（１）の内心部に洞空溝（３）を設け、片方に突起先（６）を設けた、妻楊枝のキヤップ付具である。
【考案の効果】
【０００７】本考案は日常的に不特定多数利用される為使用後の処理時等の危険からの回避、美観的、衛生面等を主眼とする物である。
【図面の簡単な説明】
【図１】本考案の真上面上斜視図である。
【図２】本考案の使用済後の挿入された状態の上斜視図である。
【符号の説明】
（１）掘り棒キヤップ
（２）突起棒
（３）洞空溝
（４）折り目切込溝
（５）洞空溝挿入口
（６）突起先
【図１】
0003106032.tif 000003
【図２】
0003106032.tif 000004
(57)【要約】【課題】  小型漁船において漁網綱等を捲揚するための油圧モーターを制御する油圧ポンプのオイルを簡易に冷却するようにして油圧モーターの駆動効率の向上を図る。【解決手段】  下部を屈曲パイプ９で連通しかつ上部に舷側嵌合部７を設けた一対のパイプ８・８を舷側に着脱自在に嵌合装着すると共に一対のパイプ８・８の端部を漁網綱等の捲揚機３を駆動する油圧モーター２の切換弁５とオイルタンク６との間の流路に配置せしめてオイルを屈曲パイプ９において海水で冷却してオイルタンク６に環流せしめる。【選択図】        図２
0003106068.tif 000002
【実用新案登録請求の範囲】
【請求項１】
上部に舷側嵌合部を屈曲形成した一対のパイプを船外部において海中に延設せしめてその延設部を屈曲パイプで連通せしめると共に前記一対のパイプの船内側端部を油圧モーターの切換弁とオイルタンクとの間の油流路に配置せしめたことを特徴とする小型漁船の油圧ポンプのオイル冷却装置。
【請求項２】
屈曲パイプを蛇行状に形成せしめたことを特徴とする請求項１記載の小型漁船の油圧ポンプのオイル冷却装置。
【請求項３】
屈曲パイプを円又は楕円状に屈曲せしめたことを特徴とする請求項１記載の小型漁船の油圧ポンプのオイル冷却装置。
【考案の詳細な説明】
【技術分野】
【０００１】
本考案は、小型漁船における漁網、海苔網等を捲揚するための捲揚機を駆動する油圧ポンプのオイルを簡易に冷却する装置に関するものである。
【背景技術】
【０００２】
従来の小型漁船においては漁網綱、海苔網等を油圧モーターで駆動される捲揚機で捲揚しているのが実状であるが、この捲揚機を駆動する油圧モーターの作動効率を向上するために従来は図４に示すように油圧ポンプのオイルタンクを風車等の回動により冷却しているが、狭い船内に風車を設けたり、その設置スペースを必要としたりすると共にその冷却効率も充分でない等の問題点がある。
【考案の開示】
【考案が解決しようとする課題】
【０００３】
本考案はこれらの現状に鑑み、小さな狭い漁船において捲揚機を駆動する油圧ポンプのオイルを簡易な構成によって効率よく冷却するようにしたことを目的とするものである。
【課題を解決するための手段】
【０００４】
本考案はこの目的を達成するために、上部に舷側嵌合部を屈曲形成した一対のパイプを船外部において海中に延設せしめてその延設部を屈曲パイプで連通せしめると共に前記一対のパイプの船内側端部を油圧モーターの切換弁とオイルタンクとの間の油流路に配置せしめたことを特徴とするものであり、前記屈曲パイプは水平方向又は垂直方向に蛇行状に屈曲したり、円又は楕円状に屈曲するものであり、また一対のパイプは舷側に舷側緊締具で移動しないように固定するのが好ましい。
【考案の効果】
【０００５】
本考案は一対のパイプを舷側に着脱自在に嵌合してその屈曲パイプにより海水でオイルを冷却することによって簡易かつ能率よく油圧ポンプのオイルを冷却することができると共にその構成も極めて簡易であって、極めて経済的であり、特に狭い小型漁船に有効である。また本考案は舷側に容易に着脱できるためその装置、収納、保管及び取扱いが迅速かつ円滑にできる。
【考案を実施するための最良の形態】
【０００６】
本考案の実施の形態を図面の実施例について説明すると、小型漁船１には油圧モーター２で駆動されて海苔網、漁網綱等を捲揚する捲揚機３が設置され、前記油圧モーター２は公知の油圧駆動装置の油圧ポンプ４、切換弁５、オイルタンク６を介して駆動され、捲揚機３によって漁網綱等を捲揚するように構成されている。
【０００７】
しかして前記漁船１の舷側には上部に舷側嵌合部７を屈曲形成したステンレス、その他の熱交換性のよい材質からなる一対のパイプ８・８が舷側外において海水中に延設されていると共にその海水中の延設部分は屈曲パイプ９で連通されており、また前記パイプ８・８の船内端部は油圧モーター２を制御する切換弁５とオイルタンク６との間に油流路に配置されている。
【０００８】
従って捲揚機３の油圧モーター２を駆動制御する油圧ポンプ４からのオイルは切換弁５からパイプ８・８の屈曲パイプ９において海水で冷却された後オイルタンク６に還流するように形成されている。
【０００９】
なお前記実施例の図面は屈曲パイプ９は、水平方向に蛇行状に並列形成されているが、垂直方向に蛇行状に並列形成してもよく、また円形又は楕円状に屈曲形成することもでき、更にパイプ８・８を舷側に固定するために緊締具１０を設けたり、パイプ８・８には連結具１１を設けたりすることもできる。
【図面の簡単な説明】
【００１０】
【図１】本考案の平面配置図。
【図２】本考案の斜面図。
【図３】本考案の装着断面図。
【図４】従来方式の配置図。
【符号の説明】
【００１１】
１    小型漁船
２    油圧モーター
３    捲揚機
４    油圧ポンプ
５    切換弁
６    オイルタンク
７    舷側嵌合部
８・８    パイプ
９    屈曲パイプ
１０    緊締具
１１    連結具
【図１】
0003106068.tif 000003
【図２】
0003106068.tif 000004
【図３】
0003106068.tif 000005
【図４】
0003106068.tif 000006
(57)【要約】【課題】間伐材や流木の処理として木炭片を利用し、木炭の特質も活かす。【解決手段】細片状の木炭に綿くずと天然樹脂を混合して成形後、自然乾燥して厚板状ブロック体が得られる。また、細片状の木炭に換え、あらかじめ水を加えた微粉炭を使用し前者と同様にして厚板状ブロック体が得られる。【効果】厚板状ブロック体は綿くずの使用により補強性や除湿、断熱、防音に優れ、木炭内の細孔の特質が活かされて、除湿、断熱、防音、防臭の諸性質諸性質があるので、そのまま建築内装材とするほか、綿布等で覆い座布団や、椅子・寝具の下敷きなどにも利用することができる。とくに、木炭片の接合を天然樹脂ベースの接着剤でおこなっているので、本考案の厚板状ブロック体は使用終了後、粉砕して土壌改良剤として土壌にかえしても環境問題を一切起こさないという特長がある。【選択図】      図１
0003106069.tif 000002
【実用新案登録請求の範囲】
【請求項１】
細片状の木炭に綿くずと天然樹脂を混合して成形後、自然乾燥して得られる厚板状ブロック体。
【請求項２】
細片状の木炭に換え、あらかじめ水を加えた微粉炭を使用して得られる請求項１記載の厚板状ブロック体。
【考案の詳細な説明】
【技術分野】
【０００１】
本考案は木炭からなる厚板状ブロック体に関する。
【背景技術】
【０００２】
従来、木炭の生産時に得られる粉粒炭等を練り固め練炭として、燃料に使用している。近時、間伐材や流木の処理としてそれらを原料に木炭が生産されるようになったが、燃料としては形状が不統一で取り扱いが困難であるという問題がある。炭類には木炭のほか竹炭やオカラ炭、籾殻炭、木屑炭などもあるが、燃料として取り扱いが困難な場合があり、活用方法が望まれている。特許文献１によれば、流動コンクリートを敷設し硬化した法面に木炭の粉粒体を混入させるとともに有用微生物群を介在させ、植物の根の発育を促進するというが、不明な点が多い。また、特許文献２によれば、木炭を粉砕して粉粒とし、粉粒度を整え、植物性接着剤、セメント、木酢液、木の繊維状破砕物を混ぜ合わせ圧力をかけてブロック状に成形し乾燥したものを提案し、建材として防湿、断熱、防音、防臭性に優れたものが得られるというが、木酢液や木の繊維状破砕物による経時変化がブロックの形状を不安定にしかつ環境に悪影響を及ぼすことも懸念される。
【０００３】
【特許文献１】特開平10-317384
【特許文献２】特開平11-131633
【考案の開示】
【考案が解決しようとする課題】
【０００４】
本考案は主に間伐材や流木の処理として木炭片を有効に利用し、木炭の特質も活用せんとするものである。
【課題を解決するための手段】
【０００５】
ここにおいて本考案者は細片状の木炭に綿くずと天然樹脂を混合して成形後、自然乾燥して得られる厚板状ブロック体を見出し、また、細片状の木炭に換え、あらかじめ水を加えた微粉炭を使用し前者と同様にして得られる厚板状ブロック体を見出すにいたった。
【考案の効果】
【０００６】
本考案により得られる厚板状ブロック体は綿くずの使用により補強性や除湿、断熱、防音に優れる。１〜３ｃｍの細片状の木炭を使用する場合は、天然樹脂の使用量が顕著にならないので問題ないが、微粉炭を使用する場合は天然樹脂の使用量が比較的多くなるので、微粉炭を使用する場合は天然樹脂の添加に先立ち、あらかじめ水を加えて木炭内の細孔に水が浸入して天然樹脂の進入するのを抑制するようにしておき、天然樹脂の使用量の節約をはかる。その結果、厚板状ブロック体として乾燥後、いずれの木炭を使用した場合も軽量性が得られ、木炭内の細孔の特質が活かされて、除湿、断熱、防音、防臭の諸性質があるので、そのまま建築内装材にすることができるほか、厚板状ブロック体を綿布で覆い、座布団や、椅子・寝具の下敷きなどにも利用することができる。とくに、木炭の接合を天然樹脂ベースの接着剤でおこなっているので、本考案のブロック体は使用終了後、粉砕し土壌改良剤として土壌にかえしても環境問題を一切起こさないという特長がある。
【考案を実施するための最良の形態】
【０００７】
本考案の厚板状ブロック体を作るのに微粉炭使用の場合は、水1200ｃｃを加えた微粉炭800 ｇと綿くず200 ｇをよく混ぜ合わせたものに天然樹脂200 ｇを混合して45ｃｍ×45ｃｍ×3 ｃｍの型枠に入れ厚板状に加圧成形後、取出し、自然乾燥して容易に得られる。また、大きさが１〜３ｃｍの細片状の木炭を使用の場合は、そのもの800 ｇに対し、綿くず200 ｇ、天然樹脂250 ｇの使用で足り、前者の場合と同様、型枠を用い、自然乾燥して得られる。このように、厚板状ブロック体を作るのに細片状の木炭を使用の場合は、水添加の必要はないが、水を添加しても厚板状ブロック体を得ることができる。
【０００８】
天然樹脂ベースの接着剤はたとえば、エコ・リビング・コーポレーション社の販売になる天然接着剤を使用することができ、このものは天然樹脂ベースの液状接着剤であり、成分はすべて天然物であり、有害、有毒ガスは発生せず、塩素系炭化水素や非分解性環境破壊物質も含んでいない。したがって、生物に直接触れても害はなく、かつ植物性の溶剤を使用しているので、室内環境にも良い影響を与える。
【図面の簡単な説明】
【０００９】
【図１】本考案による厚板状ブロック体の形状例
【符号の説明】
【００１０】
１  厚板状ブロック体
【図１】
0003106069.tif 000003
(57)【要約】【課題】  本考案は小型記録媒体の紛れ込みによる、紛失、破損の防止を解決するものである。【解決手段】  本考案は、取り付け取り外し自在の部品１を携帯電話用ストラップ３などに取り付けることにより、静電気防止の素材を使用した小型記録媒体収納ケース２に収めた小型記録媒体の、紛れ込みによる、紛失、破損の危険性を防ぐ。【選択図】  図１
0003106089.tif 000002
【実用新案登録請求の範囲】
【請求項１】
静電気防止の素材を使用した小型記録媒体収納ケースに取り付け取り外し自在の部品を取り付け、携帯電話のストラップ、カメラ、バッグのファスナー、キーホルダーなどに取り付けることにより、小型記録媒体の紛れ込みによる、紛失、破損の防止をする小型記録媒体収納アクセサリーである。
【考案の詳細な説明】
【考案の詳細の説明】
【技術分野】
【０００１】  本考案は小型記録媒体の紛失、破損防止を補助するにあたり、静電気防止の素材を使用した小型記録媒体収納ケースに、取り付け取り外し自在の部品を取り付け、携帯電話のストラップ、カメラ、バッグのファスナー、キーホルダーなどに取り付ける記録媒体収納ケースに類するものである。
【背景技術】
【０００２】  小型記録媒体専用の収納ケースの存在はなく、従来の記録媒体用収納ケースはサイズも大きく、小型記録媒体収納アクセサリーとしては適さない。
【考案が解決しようとする課題】
【０００３】  小型化が進む記録媒体は保管に困り、現実的には財布の中、小物入れのなどに保管しているケースも多く、バッグの中などに紛れ込みなどにより、大切な記録データを破損したり紛失したりしてしまう危険性がある。
【課題を解決するための手段】
【０００４】  本考案は、静電気防止の素材を使用した小型記録媒体収納ケースに、取り付け取り外し自在の部品を取り付け、携帯電話のストラップ、カメラ、バッグのファスナー、キーホルダーなどに取り付け、小型記録媒体の紛れ込みによる、紛失、破損の危険性という問題点を解決してる。
【考案実施の形態】
【０００５】  静電気防止の素材を使用した小型記録媒体収納ケースに、取り付け取り外し自在の部品を取り付けている。
【実施例】
【０００６】  以下、添付図柄に従って一実施例を説明する。１は取り付け取り外し自在の部品、２は静電気防止の素材を使用した小型記録媒体収納ケース、３は携帯電話用ストラップ。取り付け取り外し自在の部品１を携帯電話用ストラップ３に取り付けることにより、静電気防止の素材を使用した小型記録媒体収納ケース２に収めた小型記録媒体の、紛れ込みによる、紛失、破損の危険性を防ぐ。
【考案の効果】
【０００７】  静電気防止の素材を使用した小型記録媒体収納ケースに、取り付け取り外し自在の部品を取り付け携帯電話のストラップ、カメラ、バッグのファスナー、キーホルダーなどに取り付け、小型記録媒体の紛れ込みによる、紛失、破損の危険性を解決。
【図面の簡単な説明】
【図１】  取り付け取り外し自在の部品を使用し、静電気防止の素材を使用した小型記録媒体収納ケースを携帯電話のストラップに取り付けた一実例を示した図である。
【符号の説明】
１  取り付け取り外し自在の部品
２  静電気防止の素材を使用した小型記録媒体収納ケース
３  携帯電話用ストラップ
【図１】
0003106089.tif 000003
(57)【要約】      （修正有）【課題】一般的に横向きで打つパター及びラインに正対して打つゴルフパターは、打ち出し位置が体の中心から横にずれているため、イメージとの誤差が生じてしまう為思うようなパッティングにならないという課題を解決する。【解決手段】ゴルフパターのヘッド１にガイド部分３を設け、そのガイド部分に斜めの溝２を彫り、色をつける。更にボールの後方に立ち、溝の延長線上の仮想補助線９の交点を仮想通過点６として、ボールとカップまでのラインと照らし合わせられるようにした。【選択図】図１
0003106090.tif 000002
【実用新案登録請求の範囲】
【請求項１】
ゴルフパターのヘッドにガイド部分３を設け、その両端２カ所に斜めに溝２を彫り、色をつけ、その溝２の延長線上の交点を仮想通過点６としてカップまでのラインに照らし合わせて打つことを特徴とするゴルフパター。
【考案の詳細な説明】
【考案の詳細な説明】
【技術分野】
【０００１】本考案はゴルフのパターに関するもので、ゴルフパターヘッドにガイド部分３を設け、その両端２カ所に斜めに溝２を彫り、色をつけ、その溝２の延長線上の交点を仮想通過点６としてカップまでのラインに照らし合わせて打つことができるゴルフパター。
【背景技術】
【０００２】従来、パターは一般的に横向きで打つものが多く、アドレス時、ラインを読むのもカップを見るのもボールを見るのも横向きになるので不自然で見づらく、イメージとの誤差が生じ易かった。また、一部ではラインに正対して打つパタークラブもあるが、打ち出し位置が体の中心から横にずれているため、イメージとの誤差が生じてしまう。
【考案が解決しようとする課題】
【０００３】本考案は、一般的に横向きで打つパター及びラインに正対して打つゴルフパターは、打ち出し位置が体の中心から横にずれているため、イメージとの誤差が生じてしまうという課題を解決する。
【課題を解決する為の手段】
【０００４】ゴルフパターのヘッドにガイド部分を設け、そのガイド部分に斜めの溝を彫り、色をつける。更にボールの後方に立ち、溝の延長線上の仮想補助線の交点を仮想通過点として、ボールとカップまでのラインと照らし合わせて、そのまま打てるようにした。
【考案を実施するための最良の形態】
【０００５】本考案は、ゴルフのパッティングにおいて、従来のものより、高確率なカップインを可能にしたパターで、それを図面について説明すれば、ゴルフパターヘッドにガイド部分３を設け、その両端２カ所に斜めに溝２を彫り、色をつけ、その溝２の延長線上の仮想補助線９の交点を仮想通過点６としてカップまでのラインに照らし合わせて打つようにしたゴルフパターである。
【考案の効果】
【０００６】このようにすれば、カップまでのラインにボールの仮想通過点を照らし合わせることができ、また、目線を変えずにアプローチできるので、よりカップインし易くなる。
【図面の簡単な説明】
【図１】  アドレス時の上面図である。
【図２】  ゴルフパターヘッドの後ろから見た立体図である。
【図３】  アプローチ時の上面図である。
【符号の説明】
１  パターヘッド
２  溝
３  ガイド部分
４  ボール
５  カップ
６  仮想通過点
７  ライン
８  立ち位置
９  仮想補助線
１０  シャフト
【図１】
0003106090.tif 000003
【図２】
0003106090.tif 000004
【図３】
0003106090.tif 000005